(57)【要約】      （修正有）【課題】  簡単な構成で原稿幅を検知することができる画像読取装置を提供する。【解決手段】  原稿載置台３０と、原稿載置台３０に設けられた一対の原稿幅調整ガイド３１と、原稿幅の位置を検知しその位置から原稿幅を検知する原稿幅検知センサ３２を備え、検出された原稿幅を表示する表示パネルを備え、さらに原稿幅に対応した転写紙を表示する表示パネルを備えた画像読取装置。【選択図】        図２
2005348254.tif 000002
【特許請求の範囲】
【請求項１】
原稿載置台と、原稿載置台に設けられて原稿搬送時のガイドとなると共に幅方向位置を調整可能に構成された一対の原稿幅調整ガイドと、原稿幅調整ガイドの位置を検知しその位置から原稿幅を検知する原稿幅検知センサとを備えたことを特徴とする画像読取装置。
【請求項２】
請求項１の画像読取装置において、検出された原稿幅を表示する表示パネルを備えたことを特徴とする画像読取装置。
【請求項３】
請求項１の画像読取装置において、検出された原稿幅に対応したサイズの転写紙を表示する表示パネルを備えたことを特徴とする画像読取装置。
【請求項４】
請求項１の画像読取装置を備えたことを特徴とする画像形成装置。
【発明の詳細な説明】
【技術分野】
【０００１】
本発明は、画像読取装置、及びプリンタ、複写機、ＦＡＸなどの画像形成装置に関する。
【背景技術】
【０００２】
原稿を自動的に移動させてその画像を読み取る画像読取装置、その画像読取装置を備えた画像形成装置において、近年、原稿幅をセンサ等で検出し、その検出結果をフィードバックし、転写紙を原稿幅に合わせて自動で選択する方式が多く取られている。
汎用のＡ３サイズまでの原稿を読み取る画像読取装置では、画像読取装置の原稿載置台はＡ３原稿まで載置することが可能なものが多く、原稿の横幅と長さという２次元的に原稿サイズの検出が可能であり、センサの設置位置によって、マトリックスを組めば少ないセンサ数で、多くの原稿サイズを検知することができる。関連技術として以下の特許文献１乃至３がある。
【特許文献１】特開平０８−１３７０１２号公報
【特許文献２】特開２００１−２３３４５５公報
【特許文献３】特開２０００−２６７５１１公報
【発明の開示】
【発明が解決しようとする課題】
【０００３】
しかし、例えば広幅サイズの原稿の読み取りが可能な画像読取装置の場合、原稿長が長いものや短いものなどさまざまであり、原稿が原稿載置台にセットされた時点で、まず原稿の幅を検出し、その後、原稿を移動させて、原稿が挿入されてから抜けきるまでの時間で原稿の長さを検出している。このような構成の場合、各原稿サイズの幅に合わせて横一列にセンサが必要であり、そのセンサの出力を検出するためのＣＰＵ等の入力ポートもセンサの数に合わせて必要になる。従って構成が複雑でコストが掛かるという問題があった。
本発明は、簡単な構成で原稿幅を検知することができる画像読取装置、及び画像形成装置を提供することを目的とする。
【課題を解決するための手段】
【０００４】
上記目的を達成するために、請求項１記載の発明は、原稿載置台と、原稿載置台に設けられて原稿搬送時のガイドとなると共に幅方向位置を調整可能に構成された一対の原稿幅調整ガイドと、原稿幅調整ガイドの位置を検知しその位置から原稿幅を検知する原稿幅検知センサとを備えたことを特徴とする。
請求項２記載の発明は、請求項１の画像読取装置において、検出された原稿幅を表示する表示パネルを備えた画像読取装置を主要な特徴とする。
請求項３記載の発明は、請求項１の画像読取装置において、検出された原稿幅に対応した転写紙を表示する表示パネルを備えた画像読取装置を主要な特徴とする。
請求項４記載の発明は、請求項１の画像読取装置を備えた画像形成装置を最も主要な特徴とする。
【発明の効果】
【０００５】
本発明によれば、原稿幅調整ガイドの位置によって原稿幅を検知するようにしたで、原稿幅検出に必要なＣＰＵのポート数を削減することによるポートの有効活用を図ることができる。また、これから読み取ろうとする原稿のサイズを予め表示することで、ミスコピーの防止を図り、原稿が無い状態での設定の修正等が可能になる。
【発明を実施するための最良の形態】
【０００６】
以下、図面を参照して、本発明の実施形態を詳細に説明する。
図１は本発明の実施形態に係る画像読取装置の構成図である。本画像読取装置は、ガイド板２、原稿搬送ローラ３とその従動ローラ４、ガイド板５、バックアップローラ８と、バックアップローラ８の軸部を支持するアーム９、ガイド板１０、コンタクトガラス１１、光源１２、結像レンズアレイ１３、密着イメージセンサ１４、ガイド板１５、１６、原稿搬送ローラ１７とその従動ローラ１８、ガイド板１９、分岐爪２１、排紙ローラ２２とその従動ローラ２３を備えている。
この画像読取装置は、図示しない駆動手段によって各搬送ローラを回転させることによって、原稿１を定速で搬送しながら光源１２により照射し、その反射光を結像レンズアレイ１３により密着イメージセンサ１４に結像させ、画像信号を電気信号として取り出している。分岐爪２１は原稿１の排紙方向を切り換えるガイド爪であり、図示せぬソレノイド等の駆動手段により原稿１の排出方向を上方向と後方向に切り換えて排出することができる。
図２は本発明の実施形態に係る画像読取装置の要部である原稿挿入部の斜視図である。原稿載置台３０上には、原稿１の幅方向に移動可能な一対の原稿幅調整ガイド３１が設けられている。また原稿載置台３０の奥には原稿幅検知センサ３２が設けられている。また原稿載置台３０の上部には表示パネル３３が設けられている。
図に示すように原稿載置台３０に沿って原稿１を挿入するが、原稿移動時に原稿がスキュー（斜め方向などまっすぐに移動しない状態）しないように、原稿幅調整ガイド３１により原稿の幅方向両端を規制する。
【０００７】
図３は本発明の実施形態に係る画像読取装置における原稿幅検知の様子を示す説明図である。原稿幅調整ガイド３１は、原稿載置台３０上を左右方向（両矢印Ａ方向）にスライド可能なように、原稿載置台３０を挟み込むようにして設けてあり、その一部は原稿幅検知センサ３２の直下位置まで到達している。従って原稿幅検知センサ３２で原稿幅調整ガイド３１の有無を検知できるようになっている。つまり原稿幅検知センサ３２は、原稿幅調整ガイド３１の位置に基づいて、間接的に原稿幅を検知するようになっている。
原稿幅検知センサ３２は、隣り合うセンサが同時にＯＮしないようにするために２０ｍｍ程度の幅を以って配置されている。原稿幅検知センサ３２として、反射型センサを使用した場合、原稿幅調整ガイド３１によってセンサから出力されるＬＥＤ光が反射される。
図４は原稿幅検知センサ信号処理部のブロック図、図５は図４に示す信号処理部の入出力信号を示す図である。図示しないＰＣＢ基板に入力された原稿幅検知センサ３２の出力信号は、ＣＰＵ４２のポートに入力される前に、ＬＳＩ４１によってエンコードされる。ＬＳＩ４１では、８ビットの原稿幅検知センサ３２からの信号が３ビットに変換されて、ＣＰＵ４２へ入力されることになる（図５参照）。
以下、本発明の動作をさらに詳述する。原稿幅調整ガイド３１が原稿に合わせて移動させられると、その位置によって複数設置されている原稿幅検知センサ３２の内、所定のセンサ１つがアクティブになり、このセンサ出力はＰＣＢ基板に入力される。このＰＣＢ基板に入力された信号は、エンコーダＩＣであるＬＳＩ４１に入力され、ビット変換が行われる。
例えば、図４に示すような回路において、Ａ２サイズの原稿を検知した場合、ＬＳＩ４１には‘１１０１１１１１’という信号が入力され、それに伴い、３ビット（ここでは０１０）信号に変換されて出力され、ＣＰＵ４２に入力されることになる。
ＣＰＵ４２はこの入力されたビット情報から原稿サイズを導き出し、図２の表示パネル３３にこれから読み取ろうとしている原稿サイズを表示したり、原稿幅に対応した転写紙を選択し表示する。
【図面の簡単な説明】
【０００８】
【図１】本発明の実施形態に係る画像読取装置の構成図。
【図２】本発明の実施形態に係る画像読取装置の要部である原稿挿入部の斜視図。
【図３】本発明の実施形態に係る画像読取装置における原稿幅検知の様子を示す説明図。
【図４】原稿幅検知センサ信号処理部のブロック図。
【図５】図４に示す信号処理部の入出力信号を示す図。
【符号の説明】
【０００９】
３０  原稿載置台
３１  原稿幅調整ガイド
３２  原稿幅検知センサ
３３  表示パネル
【図１】
2005348254.tif 000003
【図２】
2005348254.tif 000004
【図３】
2005348254.tif 000005
【図４】
2005348254.tif 000006
【図５】
2005348254.tif 000007